(57)【要約】【課題】略同大でしかも形状は夫々異なる多数の擬石からなる擬石パネルを製造し、個々の擬石は自然石に模した形状に成形できると共に、１の型枠で所望の大きさの擬石を成形することができる。【解決手段】多数の擬石２をエキスパンドメタル４にパネル状に一体に列設固着した擬石パネル１を製造するための成形型枠１１は、箱型枠体１２と、箱型枠体１２に嵌脱可能に嵌合した仕切板１３とから構成してあり、内側には多数の擬石型枠部が画成してある。各擬石型枠部に自然石を模した雌型の形状に成形用砂１５を敷き詰め、生コンクリートを流し込み、各擬石型枠部にインサートを挿設する。コンクリートの硬化後、成形型枠１１の上に植生基盤材５、エキスパンドメタル４を被せ、上からアンカーボルト３Ｂを挿入して螺着する。【選択図】    図６
2004216819.tif 000002
【特許請求の範囲】
【請求項１】
成形型枠に画成した多数の擬石型枠部内に成形用砂を自然石を模した雌型の形状に敷詰め、該各擬石型枠部にコンクリートを流し込み、前記成形型枠に上方から連結体を配置して該コンクリートに固着することにより、コンクリートが硬化して成形される多数の擬石を該連結体を介してパネル状に一体に列設し、しかる後前記成形型枠から脱型するようにしてなる擬石パネルの製造方法。
【請求項２】
前記成形型枠は、有底の枠体と、該枠体内に挿脱可能に配設する仕切板とから構成してあることを特徴とする請求項１記載の擬石パネルの製造方法。
【請求項３】
前記多数の擬石型枠部は容積を略一定に設定し、該各擬石型枠部に敷詰める前記成形用砂の量を調整することにより前記擬石の大きさを設定するようにしたことを特徴とする請求項１記載の擬石パネルの製造方法。
【請求項４】
前記擬石型枠部に敷詰める前記成形用砂は、保形剤を用いて形状を保持させることを特徴とする請求項１記載の擬石パネルの製造方法。
【請求項５】
前記連結体には多孔板を用い、成形する各擬石に植設して該多孔板に挿通する固定部材により該連結体に前記多数の擬石を列設固着するようにしたことを特徴とする請求項１記載の擬石パネルの製造方法。
【請求項６】
前記連結体は、その構成部分のいずれかが前記多数の擬石型枠部の各々に位置する形状に構成し、該いずれかの構成部分は成形される各擬石に埋設した状態で固着させることを特徴とする請求項１記載の擬石パネルの製造方法。
【発明の詳細な説明】
【０００１】
【発明の属する技術分野】
本発明は、石は自然石に摸して成形するので自然の景観を損なうことがないことから護岸、擁壁、歩道その他の構築物に用いて好適であり、しかも現場での施工期間の短縮やコストの低減を図ることができる擬石パネルを効率的に製造する擬石パネルの製造方法に関する。
【０００２】
【従来の技術】
従来、護岸や擁壁の形成には自然石を積層したり、列設することが行われているが、自然石を収集して現場で積層或は列設するための作業量が多く、施工に長期間を要すると共に費用が嵩むこと、自然石を基板等に強固に連結する作業が面倒であるという問題がある。そこで、自然石或は自然石に摸して成形したコンクリート製の擬石をエキスパンドメタル等の多孔基板に固定した石積みパネルが用いられるようになっている。
【０００３】
従来の石積みパネルは、収集した自然石を略同じ大きさに選別した後、１個毎にアンカー挿設用穴を穿設し、エキスパンドメタル等の多孔基板にアンカーボルトを介して締着固定することにより製造している。この種の石積みパネルを示す先行技術として、例えば特開２００１−３４８８３４によって本件出願の発明者が開示したものがある。また、自然石に替えて自然石に摸した擬石を用いる石積みパネルも用いられている。この擬石を用いる石積みパネルは、シリコン、金属、繊維強化プラスチック或はゴム等からなる型枠にコンクリートを流し込んで１個ずつ成形した擬石を自然石と同様に多孔基板にアンカーボルトにより締着固定することにより製造するものである。
【０００４】
【発明が解決しようとする課題】
自然石又は擬石を用いる石積みパネルは個々の石を多孔基板に固定するので強度性に優れている、パネル単位で施工するので工事が容易であるという長所がある。また、擬石を用いる場合は、多数の擬石を多孔基板に列設固定する作業を予め工場で行うことができるので、現場の作業期間を大幅に短縮することができるという利点や、大きさが略一定の石からなる石積みパネルを製造できるという利点がある。しかし、設置場所や設置目的に応じた大きさの自然石を揃えた石積みパネルを製造することは殆ど不可能である。また、自然石や擬石を１個ずつ成形する作業及び成形した擬石を多孔基板に１個ずつアンカーボルトで固定する作業は面倒で日数が掛るし、コストが嵩むという未解決の問題がある。
【０００５】
本発明は上述した従来技術の問題点に鑑みなされたもので、略同大でしかも形状が夫々異なる多数の擬石からなる擬石パネルを製造することができるし、個々の擬石を自然石に摸した形状に成形した擬石パネルを製造することもできる擬石パネルの製造方法を提供すること、及び１の型枠で所望の大きさの擬石を成形することができる擬石パネルの製造方法を提供することを目的とする。
【０００６】
【課題を解決するための手段】
上述した課題を解決するために構成された本発明の手段は、成形型枠に画成した多数の擬石型枠部内に成形用砂を自然石に摸した雌型の形状に敷詰め、該各擬石型枠部にコンクリートを流し込み、前記成形型枠に上方から連結体を配置して該コンクリートに固着することにより、該コンクリートが硬化して形成される多数の擬石を該連結体を介してパネル状に一体に列設し、しかる後前記成形型枠から脱型するようにしたものからなる。
【０００７】
そして、前記成形型枠は、有底の枠体と、該枠体内に挿脱可能に配設する仕切板とから構成するとよい。このように構成することにより、形状の異なる仕切板を交換して多様な形状の擬石を形成することができる。
【０００８】
また、前記多数の擬石型枠部は、容積を略一定に設定し、該各擬石型枠部に敷詰める前記成形用砂の量を調整することにより前記擬石の大きさを設定するとよい。この製造方法により、大きさが異なる擬石を容易に成形することができるし、パネル全体の重量調整も容易に行うことができる。
【０００９】
更に、前記擬石型枠部に敷詰める前記成形用砂は、保形剤を用いて形状を保持させるようにするとよい。これは、成形用砂によって形状保持力に強弱があることから、保形剤を使用することにより形状保持力を高めるためである。
【００１０】
更に、前記連結体には多孔板を用い、成形する各擬石に植設して該多孔板に挿通する固定部材により該連結体に前記多数の擬石を列設固着するようにするとよい。この製造方法によれば、コンクリートが硬化する前に固定部材を植設するので、成形した擬石にボルト穴を穿設する作業は不要であり作業効率に優れている。
【００１１】
また、前記連結体は、その構成部分のいずれかが前記多数の擬石型枠部の各々に位置する形状に構成し、該いずれかの構成部分は成形される各擬石に埋設した状態で固着させるとよい。この製造方法によれば、個々の擬石を連結体に固着する作業は不要であるし、各擬石と連結体が強固に連結した強度性に優れた擬石パネルにすることができる。
【００１２】
【発明の実施の形態】
以下、本発明の実施の形態を図面に基づき詳述する。図１乃至図７は第１の実施の形態を示す。図において、１は平面長方形に形成した擬石パネルを示し、該擬石パネル１は表面２Ａを自然石に摸して成形した多数のコンクリート製擬石２、２、・・・と、該各擬石２に裏面２Ｂから固定部材３、３、・・・を用いて固着することにより多数の擬石２、２、・・・をパネル状に一体に支持するエキスパンドメタル４と、擬石２、２、・・・とエキスパンドメタル４との間に挟装した植生基盤材５とから構成してある。
【００１３】
ここで、該エキスパンドメタル４は成形枠体１１より若干大きく形成してあり、縁部はパネルを列設する場合に隣接するエキスパンドメタル４の縁部と重畳して連結するためのラップ部４Ａとしてある。また、該植生基盤材５は草木の種子や魚類の卵等を定着させるためのもので、例えば椰子繊維や藁等の植物性繊維をシート状に編成したものを用いるとよい。なお、植生基盤材５は擬石パネル１を設置する河川や湖沼等の設置場所に応じて挟装するものである。
【００１４】
図２は前記擬石パネル１を製造するために用いる成形型枠を示す。該成形型枠１１は長方形の底板１２Ａと、該底板１２Ａの四辺から起立する前後側板１２Ｂ、１２Ｃ及び左右側板１２Ｄ、１２Ｅからなる上方が開放した鋼板製の箱形枠体１２と、該箱形枠体１２に嵌脱可能に嵌合した鋼板、繊維強化プラスチック或は硬質ゴム等からなる仕切板１３とから構成してある。該仕切板１３は成形する個々の擬石２、２、・・・の異なる形状を考慮して成形した多数の仕切片３Ａ、３Ｂ、・・・３Ｑを図２に示すように適宜に連結して一体に構成したものからなっている。そして、箱形枠体１２に仕切板１３を嵌合することにより、成形型枠１１内には各々の形状は異なるが容積を略等しく設定した複数の擬石型枠部１４、１４、・・・が画成してある。
【００１５】
次に、上述の構成からなる成形型枠１１を用いて擬石パネル１を製造する工程について説明する。先ず、図３乃至図５に示すように、各擬石型枠部１４内に所定量の成形用砂１５を仕切板１３の上端側まで敷き詰め、擬石２の表面２Ａが自然石を摸した形状になるようにその内面１５Ａを凹凸のある凹湾曲面に成形する。使用する砂にはシルトの含有量が多く形状保持力の高い山砂を用いるとよい。なお、使用する砂によっては形状保持力に強弱の差があるから、形状保持力が弱い砂には必要に応じて適量の糊を添加したり、水を吹き付けたりする等、糊、水、粘土等の保形剤を用いて形状保持力を高めるとよい。
【００１６】
各擬石型枠部１４内に成形用砂１５を敷き詰めて内面１５Ａを上述の如く成形したら、擬石型枠部１４に成形枠体１１の上端１１Ａまで生コンクリートを流し込んで擬石形成体２’とし、その裏面２’Ａを平坦に均す。次に、生コンクリートが硬化する前に、各擬石型枠部１４毎に固定部材３を構成するインサート３Ａを擬石形成体２’に裏面２’Ａ側から挿設する。
【００１７】
最後に、生コンクリートが硬化して多数の擬石２、２、・・・が成形されたら、成形枠体１１の上に略同形の大きさに形成した植生基盤材５を全面に被せ、その上にエキスパンドメタル４を被せる。植生基盤材５を挾んだ状態でエキスパンドメタル４を成形枠体１１上に載置したら、上方から挿通したアンカーボルト３Ｂをインサート３Ａに螺合してエキスパンドメタル４を各擬石２に強固に締結する。これにより、多数の擬石２、２、・・・をエキスパンドメタル４によってパネル状に一体に列設した擬石パネル１が完成する。
【００１８】
このようにして擬石パネル１が完成したら、図７に示すようにクレーンＡにより擬石パネル１を引き上げて成形型枠１１から脱型し、設置場所に列設して隣接する擬石パネル１同士のエキスパンドメタル４のラップ部４Ａ、４Ａを重ねて図示しないボルト・ナットで連結することにより、擬石パネル１、１、・・・を河岸、法面或は地盤上に敷設する。
【００１９】
なお、擬石パネル１に強度性が必要な場合には、エキスパンドメタル４に四角形や格子状の金属製枠を付設して剛性を高める構成にすればよい。これにより、設置時にパネルの撓みがないから施工性を高める効果もある。
【００２０】
また、実施の形態では連結体としてエキスパンドメタル４を用いたが、パンチングメタルや金網を用いてもよい。
【００２１】
次に、図８乃至図１０は本発明の第２の実施の形態に係る擬石パネルの製造方法について説明する。図８において、２１は本実施の形態の製造方法により製造した擬石パネルを示す。該擬石パネル２１は表面２２Ａを自然石に摸して成形した多数のコンクリート製擬石２２、２２、・・・と、該各擬石２２の裏面２２Ｂ側に埋設した状態で固着され、多数の擬石２２、２２、・・・をパネル状に一体に支持する連結体２３（図９参照）と、四隅に位置する擬石２２、２２、・・に植設した略円環状の隅部連結フック２４、２４、・・と、擬石パネル２１の長手方向略中間に位置して擬石２２に植設した略Ｕ字状の中間連結フック２５、２５とから構成してある。
【００２２】
ここで、上述のように多数の擬石２２、２２、・・・を一体に連結するための連結体２３は、図９に示すように複数本の線材、例えば棒鋼を溶接手段により連結して構成したものからなっている。即ち、連結体２３は２本の短尺材２３Ａ、２３Ａ及び２本の長尺材２３Ｂ、２３Ｂを長方形に連結し、対向する長尺材２３Ｂ、２３Ｂ間に連結材２３Ｃ、２３Ｃ、・・を斜めの状態で架設した形状にすることにより、短尺材２３Ａ、長尺材２３Ｂ及び連結材２３Ｃのいずれかの部分が後述する多数の擬石型枠部３４、３４、・・・の各々に必ず位置するようにしてある。なお、短尺材２３Ａ、長尺材２３Ｂ及び連結材２３Ｃは必要に応じて屈曲さればよい。
【００２３】
３１は擬石パネル２１を製造するために用いる成形型枠を示す。該成形型枠３１は長方形の底板３２Ａと、該底板３２Ａの四辺から起立する前後側板３２Ｂ、３２Ｃ及び左右側板３２Ｄ、３２Ｅとからなる上方が開放した鋼板製の箱形枠体３２と、該箱形枠体３２内に嵌脱可能に嵌合した鋼板、繊維強化プラスチック、硬質ゴム等からなる仕切板３３とから構成してある。該仕切板３３は成形する個々の擬石２２、２２、・・・の大きさに対応して裁断した多数の仕切片３３Ａ、３３Ｂ、・・・３３Ｎを図２に示す仕切板１３と同様にして適宜に連結することにより一体に構成したものからなっている。そして、箱形枠体３２に仕切板３３を嵌合することにより、成形型枠３１には第１の実施の形態と同様に個々の形状は異なるが容積を略等しく設定した複数の擬石型枠部３４、３４、・・・が画成してある。また、各仕切片３３Ａ、３３Ｂ、・・・３３Ｎの上端側には連結体２３の短尺材２３Ａ、長尺材２３Ｂ又は連結材２３Ｃのいずれかが嵌入する少なくとも１個の略Ｕ字状の切欠き３５、３５、・・・が形成してある。
【００２４】
３６、３６、・・・は隅部連結フック２４を嵌入させるための各一対の縦長の切欠き部で、該切欠き部３６、３６は箱形枠体３２の４か所の角隅に位置して前側板３２Ｂと左側板３２Ｄ、前側板３２Ｂと右側板３２Ｅ、及び後側板３２Ｃと左側板３２Ｄ、後側板３２Ｃと右側板３２Ｅの各上端側に形成してある。また、３７、３７、・・は中間連結フック２５、２５を嵌入させるための各一対の縦長の切欠き部で、該切欠き部３６、３６は箱形枠体３２の左側板３２Ｄと右側板３２Ｅの各上端側に形成してある。
【００２５】
本実施の形態によれば、成形型枠３１の各擬石型枠部３４に成形用砂３５を敷き詰めて自然石に摸した雌型の形状に形成し、成形型枠３１に上方から連結体２３を嵌合して配置した後、各擬石型枠部３４に成形型枠３１の上端３１Ａまで生コンクリートを流し込み、生コンクリートが硬化する前に各隅部連結フック２４及び中間連結フック２５を外側から生コンクリートに差し込む。そして、生コンクリートが硬化することにより、埋設した状態の連結体２３が多数の擬石２２、２２、・・・を一体に、かつ強固に連結した擬石パネル２１を製造することができる。
【００２６】
このように、成形型枠３１に連結体２３を配置し、生コンクリートを流し込むだけで個々の擬石２２が連結体２３に固着した擬石パネル２１を容易に製造することができる。しかも、連結体２３は個々の擬石２２に埋設した状態で固着しているから、製造される擬石パネル２１は極めて高い強度性を有している。
【００２７】
なお、第２の実施の形態では、連結体２３の構成材料に棒鋼を用いたが、鋼線を用いてもよい。鋼線は棒鋼と比較して可撓性があり、連結体は設置場所の地形に応じて変形することにより擬石パネル２１は設置面に添った状態になるので安定性に優れているし、地盤を掘削して整地する作業も必要最小限で足りるから施工性にも優れている。
【００２８】
ところで、型枠を用いて擬石を個々に成形する従来工法にあっては、パネルの単位面積当たりの重量が例えば３２０ｋｇ、３４０ｋｇ、３５０ｋｇのように異なる場合には重量毎の複数の型枠を必要としている。しかし、第１及び第２の各実施の形態によれば、各擬石型枠部１４、３４の容積は略一定に設定してあるから、敷き詰める成形用砂１５、３５の量を増減することにより擬石２、２２の大きさを任意に変えることができるので、１の成形型枠１１、３１を用いて重量の異なる擬石パネルを製造することが可能である。また、例えば丸みを帯びた擬石からなる擬石パネルとか、角張った擬石からなる擬石パネルのように設置する場所に相応しい擬石パネルを容易に製造することができる。
【００２９】
また、各実施の形態で用いる成形型枠１１、３１を構成する箱型枠体１２、３２は、底板１２Ａ、３２Ａを下方にヒンジを介して開放可能に構成してもよいし又は嵌脱可能に構成してもよい。これにより、擬石パネル１、２１を脱型した後に成形用砂１５、３５を成形型枠１１、３１から排出する作業を簡単に、能率よく行うことができる。
【００３０】
【発明の効果】
本発明は以上詳述した如く構成したから下記の諸効果を奏する。
（１）成形型枠に画成した多数の擬石型枠部にコンクリートを流し込んで硬化させ、形成される多数の擬石に連結体を一体に固着する製造方法であるから、自然石や１個ずつ成形した擬石を１個毎に基板に固定する従来技術と比較して効率よく擬石パネルを製造することができるし、製造コストを約３分の１に低減することができる。
（２）擬石型枠部内に成形用砂を自然石の雌型となる形状に敷き詰めるので、形状が自然石に近い擬石を成形することができるし、擬石が１個たりとも同一形状のものはない擬石パネルを製造することができるから、自然の景観に近い施工結果に仕上げることができるし、使用に適した自然石を収集する時間と費用を削減できる。
（３）成形型枠は枠体に仕切板を挿脱可能に配設する構成とし、形状の異なる仕切板と交換できるようにしたから、１の成形型枠で多様な形状の擬石を容易に成形することができるし、成形型枠に掛る設備費、維持費、保管費用等を抑制することができる。
（４）多数の擬石型枠部は容積を略一定に設定してあり、各擬石型枠部に敷き詰める成形用砂の量を調整することにより施工場所に応じて擬石の大きさを任意に設定することができる。従って、パネル単位で大きさの異なる擬石を容易に成形することができるし、パネル全体の重量調整も容易に行うことができる。
（５）擬石型枠部に敷き詰める成形用砂は、保形剤を用いて形状を保持させるようにするから、形状保持力が十分でない成形用砂であっても自然石を摸した任意の形状の擬石を成形することができる。
（６）連結体には多孔板を用い、成形する各擬石に植設して該多孔板に挿通する固定部材により該連結体に多数の擬石を固着するようにしてあり、生コンクリートが硬化する前に固定部材を植設することにより、成形した擬石にボルト穴を穿設する作業は不要になるので作業効率に優れている。
（７）連結体は、その構成部分のいずれかが多数の擬石型枠部の各々に位置する形状に構成し、いずれかの構成部分は成形される各擬石に埋設した状態で固着させるようにしたから、個々の擬石を連結体に固着する作業が不要であるし、各擬石と連結体が強固に連結した強度性の高い擬石パネルにすることができる。
【図面の簡単な説明】
【図１】図１乃至図７は本発明の第１の実施の形態に係り、図１は擬石パネルの外観斜視図である。
【図２】成形型枠の全体構成を示す斜視図である。
【図３】成形用砂を敷き詰めた成形型枠の斜視図である。
【図４】成形用砂を敷き詰めた成形型枠の縦断面図である。
【図５】擬石型枠部に成形した擬石に植生基盤材とエキスパンドメタルを固着する工程を示す説明図である。
【図６】脱型する工程前の擬石パネルの部分拡大断面図である。
【図７】擬石パネルを成形型枠から脱型する工程を示す説明図である。
【図８】図８乃至図１０は第２の実施の形態に係り、図８は擬石パネルの外観斜視図である。
【図９】成形型枠に連結体を配置した構成を示す斜視図である。
【図１０】脱型する工程前の擬石パネルの部分拡大断面図である。
【符号の説明】
１、２１      擬石パネル
２、２２      擬石
３            固定部材
４            エキスパンドメタル
５            植生基盤材
１１、３１    成形型枠
１２、３２    箱形枠体
１３、３３    仕切板
１４、３４    擬石型枠部
１５、３５    成形用砂
２３          連結体
【図１】
2004216819.tif 000003
【図２】
2004216819.tif 000004
【図３】
2004216819.tif 000005
【図４】
2004216819.tif 000006
【図５】
2004216819.tif 000007
【図６】
2004216819.tif 000008
【図７】
2004216819.tif 000009
【図８】
2004216819.tif 000010
【図９】
2004216819.tif 000011
【図１０】
2004216819.tif 000012